(57)【要約】【課題】係合孔のある鋼材や構造物への取り付け／取り外しを容易に且つ確実に行うことができる吊り具を提供することを課題とする。【解決手段】ロック部材８をレバー部１８の係合板２１から外した状態でレバー部１８を本体２の外側に向けて引っ張って抜け止め用ストッパ６を許容位置にスライドさせると、このストッパ６がロック部材８により許容位置にロックされ、この状態でピン１を引き抜く。そして、被保持物の係合孔にピン１を通してピン１の先端部を先端保持部３に押し込んだ後、ロック部材８を再び係合板２１から外すと、付勢力により抜け止め用ストッパ６が禁止位置にスライドしてピン１の環状溝１０に嵌合し、ピン１の引き抜きが禁止されると共にロック部材８によりこのストッパ６が禁止位置にロックされる。【選択図】        図１
2004338921.tif 000002
【特許請求の範囲】
【請求項１】
被保持物に形成された係合孔に通されると共にその先端部に環状溝が周に沿って形成されたピンと、
前記ピンが差し込まれると共に前記ピンの先端部と基端部とをそれぞれ保持する先端保持部及び基端保持部を有するほぼＵ字形の本体と、
前記本体の先端保持部に配置され且つ前記ピンの先端部が前記本体の基端保持部から先端保持部まで差し込まれた状態で前記ピンの環状溝に嵌合してピンの引き抜きを禁止する禁止位置と前記ピンの環状溝から外れてピンの引き抜きを許容する許容位置との間でスライド自在な抜け止め用ストッパと、
前記抜け止め用ストッパに接続されこのストッパを禁止位置と許容位置との間でスライドさせるためのレバー部と、
前記本体に取り付けられ且つ前記レバー部に係合することにより前記抜け止め用ストッパを禁止位置及び許容位置にそれぞれロックするロック部材と
を備えることを特徴とする吊り具。
【請求項２】
前記抜け止め用ストッパは、前記ピンの外周部に向かって付勢されていることを特徴とする請求項１に記載の吊り具。
【請求項３】
前記本体の基端保持部に配置され且つ前記ピンの外周部に向かって付勢されると共に前記ピンの先端部が前記本体の基端保持部まで引き抜かられた状態で前記ピンの環状溝に嵌合してピンの本体からの脱落を防止する脱落防止用ストッパを更に備えることを特徴とする請求項１又は２に記載の吊り具。
【発明の詳細な説明】
【０００１】
【発明の属する技術分野】
この発明は、吊り具に係り、特に係合孔が形成された被保持物を吊り下げるための吊り具に関するものである。
【０００２】
【従来の技術】
例えば、特許文献１には、被保持物に特殊な形状の孔を形成すると共にこの孔にボルトを挿入し、さらに吊り下げ用の吊り孔を有するアイナットをボルトの先端に螺合してこれらボルトの頭部とアイナットとの間に被保持物を挟持することにより被保持物を吊り下げることが可能な吊り具が開示されている。
【０００３】
【特許文献１】
特開平５−３３０７８２号公報
【０００４】
ところが、上述の吊り具では、被保持物に形成された特殊な形状の孔が必要であるため、例えば円形の孔が既に形成されている鋼材や構造物であっても、さらに吊り下げ用に特殊な形状の孔を開けなければならず、使いやすいものではなかった。
【０００５】
これに対し、既存の孔を利用して被保持物を吊り下げることのできる治具として、ナット締め式の吊り具が用いられている。Ｕ字形の吊り具本体に取り付けられているピンを鋼材や構造物に形成されている既存の孔に挿通し、この状態でピンの先端をナット締めしてピンが吊り具本体から抜けないように固定している。
このような吊り具を使用することにより、重量のある鋼材や構造物を確実に吊り下げることができる。
【０００６】
【発明が解決しようとする課題】
しかしながら、上述のナット締め式の吊り具では、ナット締め式のために吊り具の取り付け／取り外しの操作に手間と時間がかかり、特に、作業現場においては作業者が革手袋や軍手を装着していることが多いので、吊り具のナット締めが行いづらいという問題点があった。
また、使用している間にピンの先端に形成されたネジ山が損傷することがあり、その場合にはナットの締め付けが完全に行われない虞があった。特に、ナット締めの際にピンの先端が吊り具本体の後方に位置すると、作業者がナットの締め付けを目で確認することが困難であった。
この発明はこのような問題点を解消するためになされたもので、係合孔のある鋼材や構造物への取り付け／取り外しを容易に且つ確実に行うことができる吊り具を提供することを目的とする。
【０００７】
【課題を解決するための手段】
この発明に係る吊り具は、被保持物に形成された係合孔に通されると共にその先端部に環状溝が周に沿って形成されたピンと、ピンが差し込まれると共にピンの先端部と基端部とをそれぞれ保持する先端保持部及び基端保持部を有するほぼＵ字形の本体と、本体の先端保持部に配置され且つピンの先端部が本体の基端保持部から先端保持部まで差し込まれた状態でピンの環状溝に嵌合してピンの引き抜きを禁止する禁止位置とピンの環状溝から外れてピンの引き抜きを許容する許容位置との間でスライド自在な抜け止め用ストッパと、抜け止め用ストッパに接続されこのストッパを禁止位置と許容位置との間でスライドさせるためのレバー部と、本体に取り付けられ且つレバー部に係合することにより抜け止め用ストッパを禁止位置及び許容位置にそれぞれロックするロック部材とを備えるものである。
抜け止め用ストッパは、ピンの外周部に向かって付勢されていることが好ましい。
また、本体の基端保持部に配置され且つピンの外周部に向かって付勢されると共にピンの先端部が本体の基端保持部まで引き抜かれた状態でピンの環状溝に嵌合してピンの本体からの脱落を防止する脱落防止用ストッパを備えることがより好ましい。
【０００８】
【発明の実施の形態】
以下、この発明の実施の形態を添付図面に基づいて説明する。
図１にこの発明の実施の形態に係る吊り具を示す。この吊り具は、鋼材や構造物などの被保持物に形成された係合孔に通されるピン１とこのピン１が差し込まれるほぼＵ字形の本体２とを有している。本体２はピン１の先端部と基端部とをそれぞれ保持する先端保持部３及び基端保持部４を有し、これら先端保持部３と基端保持部４とが連結部５により連結されている。先端保持部３には抜け止め用ストッパ６が、基端保持部４には脱落防止用ストッパ７がそれぞれ配置されており、連結部５にはロック部材８が配置されている。また、先端保持部３は吊り下げ用の吊り孔９を有している。
【０００９】
ピン１は、その先端部に環状溝１０が周に沿って形成される一方、その基端部に外周面から側方に突出したフランジ部１１を有している。環状溝１０の先端側には凸部１２が形成されて凸部１２と環状溝１０との間に段差１０ａが形成されている。また、環状溝１０の基端側には基端部に向かうほど拡径するようなテーパー部１０ｂが形成されている。さらに、フランジ部１１の基端側にはこのピン１を移動するための取っ手１３が取り付けられている。
【００１０】
一方、本体２の先端保持部３及び基端保持部４には、ピン１の先端部及び基端部がそれぞれ差し込まれる先端貫通孔１４及び基端貫通孔１５が形成されている。ピン１を基端貫通孔１５及び先端貫通孔１４に完全に差し込むと、ピン１の基端部に位置するフランジ部１１が基端保持部４の外側面に係合すると共に、ピン１の先端部に位置する凸部１２及び環状溝１０が先端貫通孔１４を突き抜けて先端保持部３の外側に突出する。
【００１１】
また、本体２の内部には、先端保持部３から連結部５に亙って延長するストッパ用貫通孔１６が形成されており、この貫通孔１６にロッド部材１７が通されてスライド自在に保持されている。ロッド部材１７には、その先端保持部３側の端部に抜け止め用ストッパ６が、その連結部５側の端部にレバー部１８がそれぞれ固定されており、抜け止め用ストッパ６、ロッド部材１７及びレバー部１８が一体になって先端貫通孔１４の軸心に垂直な方向にスライド可能になっている。すなわち、レバー部１８を操作することにより抜け止め用ストッパ６は、本体２の基端保持部４から先端保持部３まで完全に差し込まれた状態のピン１の環状溝１０に嵌合してピン１の引き抜きを禁止する禁止位置と、ピン１の環状溝１０から外れてピン１の引き抜きを許容する許容位置との間でスライドされる。なお、抜け止め用ストッパ６は先端保持部４の外側面上に位置している。
【００１２】
また、ストッパ用貫通孔１６の先端保持部３側の端部には凹部１９が形成されると共にこの凹部１９と抜け止め用ストッパ６との間にバネ２０が配置されており、抜け止め用ストッパ６、ロッド部材１７及びレバー部１８が共に先端貫通孔１４の軸心に向かって付勢されている。
さらに、抜け止め用ストッパ６は、その一端に図２に示されるようなほぼＵ字形の切り欠き６ａを有している。抜け止め用ストッパ６が禁止位置にあると、ピン１の環状溝１０と凸部１２との間に形成された段差１０ａに抜け止め用ストッパ６の切り欠き６ａが係合してピン１を引き抜くことができない状態になる。
【００１３】
一方、レバー部１８はロッド部材１７の軸心に垂直な係合板２１を有している。また、ストッパ用貫通孔１６の連結部５側の端部近傍にはロック部材８が配置されている。ロック部材８の中央にはピン２２が通されるガイド孔８ａが形成されており、ロック部材８はスライド可能であると共にバネ２３によりストッパ用貫通孔１６の軸心に向かって付勢されている。また、ロック部材８はその一側が僅かに連結部５の外部に突出しており、この突出した部分には作業者がロック部材８を操作しやすいように滑り止め部８ｂが形成されている。ロック部材８の先端部をレバー部１８の係合板２１の表面に係合させると抜け止め用ストッパ６が禁止位置にロックされ、一方、ロック部材８の先端部を係合板２１の裏面に係合させると抜け止め用ストッパ６が許容位置にロックされる。なお、レバー部１８は連結部５の切り欠き部分に位置しており、作業者がレバー部１８を操作することができるように構成されている。
【００１４】
また、基端保持部４の基端貫通孔１５の途中には、この基端貫通孔１５に垂直な方向に延長するストッパ用貫通孔２４が形成されており、この貫通孔２４の内部に脱落防止用ストッパ７が配置されている。この脱落防止用ストッパ７はバネ２５により基端貫通孔１５の軸心に向かって付勢されている。
なお、図１に二点鎖線で示されるように、本体２はその先端保持部３と抜け止め用ストッパ６とを覆うカバー２６を有しており、このカバー２５を使用することにより本体２の基端保持部４から先端保持部３まで完全に差し込まれた状態のピン１の先端部及び抜け止め用ストッパ６に外力が作用することを防止することができる。
【００１５】
次に、この実施の形態に係る吊り具の作用について説明する。吊り具を被保持物に取り付ける際には次のような手順で作業を行う。ここで、図１に示されるように、ピン１が本体２に完全に差し込まれた状態で抜け止め用ストッパ６が禁止位置にロックされているときには、ピン１の環状溝１０に抜け止め用ストッパ６の切り欠き６ａが嵌合してピン１を本体２から引き抜くことができない状態であると共に、ロック部材８がレバー部１８の係合板２１の表面に係合して抜け止め用ストッパ６をスライドできない状態になっている。この場合、ロック部材８をバネ２３の付勢力に抗して実線矢印で示されるような方向にスライドさせてロック部材８をレバー部１８の係合板２１の表面から外す。その状態でレバー部１８を本体２の外側に向けて引っ張ることにより、図３に示されるように抜け止め用ストッパ６を許容位置までスライドさせる。これにより抜け止め用ストッパ６の切り欠き６ａがピン１の環状溝１０から外れてピン１の引き抜きが許容された状態になる。
【００１６】
このとき、レバー部１８の係合板２１がロック部材８の外側の位置まで到達すると、バネ２３の付勢力によりロック部材８がストッパ用貫通孔１６の軸心に向かってスライドし、ロック部材８の先端部がレバー部１８の係合板２１の裏面に係合して抜け止め用ストッパ６が許容位置にロックされる。
この状態でピン１を引き抜くと、図４に示されるようにピン１の先端部の環状溝１０が基端保持部４の基端貫通孔１５の途中に位置したところで、バネ２５の付勢力によりこの環状溝１０に脱落防止用ストッパ７が嵌合し、ピン１の脱落が防止された状態になる。
【００１７】
次に、被保持物２７に形成された係合孔２８を本体２の先端保持部３の先端貫通孔１４と基端保持部４の貫通孔１５との間に配置し、ピン１の取っ手１３を握ってピン１を基端保持部４から先端保持部３に向かって押し込む。ここでピン１の環状溝１０の基端側には基端に向かうほど拡径するテーパー部１０ｂが形成されているため、ピン１の環状溝１０から脱落防止用ストッパ７が容易に外れ、ピン１の先端部は被保持物２７の係合孔２８を通って先端保持部３の先端貫通孔１４に差し込まれる。またこのとき、抜け止め用ストッパ６はロック部材８により許容位置にロックされているため、抜け止め用ストッパ６にピン１の先端部の凸部１２が引っ掛かることなくスムーズにピン１を差し込むことができる。
【００１８】
そして、ピン１の先端部の凸部１２及び環状溝１０が先端貫通孔１４を突き抜けて先端保持部３の外側に突出するまでピン１を本体２に完全に差し込んだところで、バネ２３の付勢力に抗してロック部材８を再び図４に実線矢印で示される方向にスライドさせてレバー部１８の係合板２１の裏面からロック部材８を外すと、バネ２０の付勢力により抜け止め用ストッパ６が禁止位置に向かってスライドしてその切り欠き６ａがピン１の環状溝１０に嵌合し、ピン１の引き抜きが禁止された状態になる。また、抜け止め用ストッパ６が禁止位置に到達すると、バネ２３の付勢力によりロック部材８がストッパ用貫通孔１６の軸心に向かってスライドし、その先端部がレバー部１８の係合板２１の表面に係合して抜け止め用ストッパ６が禁止位置にロックされる。
このようにしてピン１が本体２に装着され、吊り具に保持された被保持物２７が本体２の吊り孔９を介して吊り下げられる。
【００１９】
以上のように、ピン１を本体２に完全に差し込んだ状態で先端保持部３の抜け止め用ストッパ６を禁止位置または許容位置にスライドさせてその位置に抜け止め用ストッパ６をロック部材８によりロックすれば、ピン１の引き抜きを禁止または許容の状態にすることができ、ピン１の本体２への取り付け／取り外しを容易に行うことができる。従って、作業現場で作業者が革手袋や軍手を装着していても、係合孔のある被保持物に容易に吊り具を取り付け／取り外しを行うことができる。
【００２０】
また、上述のように本発明の吊り具は、ピン１の先端部の環状溝１０に先端保持部３の抜け止め用ストッパ６の切り欠き６ａが係合してピン１の引き抜きが禁止されると共に、抜け止め用ストッパ６がロック部材８により禁止位置にロックされるという２段階の保持構造になっている。このため、ピン１の取っ手１３や抜け止め用ストッパ６に外力が作用しても、誤ってピン１の先端部が本体２の先端保持部３から外れて被保持物が落下してしまうことがなく、安全性の高い吊り具が実現される。
【００２１】
さらに、ピン１を引き抜く際には、ピン１の先端部に形成された環状溝１０に本体２の基端保持部４の脱落防止用ストッパ７が嵌合してピン１の先端部が基端保持部４に保持された状態になるので、ピン１が本体２から脱落してしまうことがなく、より安全性の高い吊り具を実現することができる。
【００２２】
なお、本発明の吊り具を、山留壁を組み立てる際に使用される腹起材等、係合孔を有する被保持物の吊り下げに使用することができる。
【００２３】
【発明の効果】
以上説明したように、この発明によれば、被保持物に形成された係合孔に通されると共にその先端部に環状溝が周に沿って形成されたピンと、ピンが差し込まれると共にピンの先端部と基端部とをそれぞれ保持する先端保持部及び基端保持部を有するほぼＵ字形の本体と、本体の先端保持部に配置され且つピンの先端部が本体の基端保持部から先端保持部まで差し込まれた状態でピンの環状溝に嵌合してピンの引き抜きを禁止する禁止位置とピンの環状溝から外れてピンの引き抜きを許容する許容位置との間でスライド自在な抜け止め用ストッパと、抜け止め用ストッパに接続されこのストッパを禁止位置と許容位置との間でスライドさせるためのレバー部と、本体に取り付けられ且つレバー部に係合することにより抜け止め用ストッパを禁止位置及び許容位置にそれぞれロックするロック部材とを備えたので、吊り具を係合孔のある被保持物に容易に且つ確実に取り付け／取り外しをすることができるようになった。
【図面の簡単な説明】
【図１】この発明の実施の形態に係る吊り具を示す側面図である。
【図２】実施の形態に係る吊り具の底面図である。
【図３】実施の形態における抜け止め用ストッパを許容位置にロックした様子を示す側面図である。
【図４】実施の形態におけるピンを引き抜いた様子を示す側面図である。
【符号の説明】
１  ピン、２  本体、３  先端保持部、４  基端保持部、５  連結部、６  抜け止め用ストッパ、６ａ  切り欠き、７  脱落防止用ストッパ、８  ロック部材、９  吊り孔、１０  環状溝、１１  フランジ部、１２  凸部、１３  取っ手、１４  先端貫通孔、１５  基端貫通孔、１６，２４  ストッパ用貫通孔、１７  ロッド部材、１８  レバー部、１９  凹部、２０，２３，２５  バネ、２１  係合板、２６  カバー、２７  被保持物、２８  係合孔。
【図１】
2004338921.tif 000003
【図２】
2004338921.tif 000004
【図３】
2004338921.tif 000005
【図４】
2004338921.tif 000006